(57)【特許請求の範囲】
【請求項１】
車両の車輪用タイヤを製造するための方法であって、
ａ）構築ステーション（１４）において、軸方向に互いに離間した環状固定構造体（７）に動作可能に結合された少なくとも１つのカーカスプライ（１０）を備えるほぼ円筒状のカーカス構造体（３）を構築するステップと、
ｂ）仕上げステーション（１７）において、少なくとも１つのベルト層（１１ａ、１１ｂ、１２）を備えるベルト構造体（４）に対して半径方向外側位置に貼り付けられたトレッドバンド（５）を備えるほぼ円筒状のスリーブを製造するステップであって、
ｂ１）第１の作業位置（Ａ）において、前記仕上げステーション（１７）の第１の前記第１補助ドラム（１９）に第１のベルト構造体（４）を組み立てるステップと、
ｂ２）第２の作業位置（Ｂ）において、前記仕上げステーション（１７）の前記第１の作業位置（Ａ）において第２の補助ドラム（２０）に予め組み立てられた第２のベルト構造体（４）に対して半径方向外側位置に、トレッドバンド（５）を貼り付けるステップであって、該貼付ステップが、未加硫エラストマー材料の第１の連続する細長要素（２７）及び第２の連続する細長要素（２８）を、前記第２のベルト構造体（４）に対して半径方向外側位置に、連続する周方向コイル状に置くことによって行われる、貼付ステップと、
ｂ３）前記第１のベルト構造体（４）を支持する前記第１の補助ドラム（１９）を前記第２の作業位置（Ｂ）に位置決めするステップと、
ｂ４）このようにして得られた前記ほぼ円筒状のスリーブを支持する前記第２の補助ドラム（２０）を前記仕上げステーション（１７）の持ち上げ位置（Ｃ）に位置決めするステップとを含む、ステップｂ）と、
ｃ）前記ほぼ円筒状のスリーブを前記仕上げステーション（１７）の前記持ち上げ位置（Ｃ）から、前記構築ステーション（１４）でその間に構築されたカーカス構造体（３）に対して半径方向外側位置に移送するステップと、
を含み、前記仕上げステーション（１７）の前記作業位置（Ａ、Ｂ）が互いに角度的にオフセットされ、前記補助ドラム（１９、２０）は、前記角度的にオフセットされた前記作業位置（Ａ、Ｂ）で、ほぼタレット状の移動装置（１８）によって支持され、
前記ステップｂ２）が、前記第２の作業位置（Ｂ）で前記第２の補助ドラム（２０）の近くに配置されたそれぞれの供給部材（２５、２６）から、前記第１の連続する細長要素（２７）及び前記第２の連続する細長要素（２８）を供給し、同時に、前記連続する細長要素（２７、２８）を前記ドラム（２０）に巻回することによって行われ、
前記ステップｂ１）〜ｂ４）が周期的に繰り返され、
前記ステップｂ１）とｂ２）が互いに少なくとも部分的に同時に行われ、
前記ステップｂ３）とｂ４）が、実質的に垂直な回転軸線（Ｙ−Ｙ）を中心に前記移動装置（１８）を回転させることによって、互いに少なくとも部分的に同時に行われ、
前記補助ドラム（１９、２０）が、ほぼタレット状の移動装置（１８）によって互いに角度的にオフセットされた位置で支持され、
前記補助ドラム（１９、２０）の少なくとも一方が、前記移動装置（１８）によって摺動可能に支持され、前記方法が、前記装置（１８）による前記回転ステップの実行の前に、前記移動装置（１８）の前記回転軸線（Ｙ−Ｙ）に向かって前記少なくとも１つの補助ドラム（１９、２０）を移動させるステップを含む、
方法。
【請求項２】
前記ステップｂ）とｃ）が、前記カーカス構造体（３）を構築する前記ステップａ）を行うための時間に実質的に等しいか又はそれよりも短い時間間隔で行われる請求項１に記載の方法。
【請求項３】
前記ステップｂ１）が、
ｉ）前記スリーブの周方向伸長方向に対して傾斜した第１の補強コードを含む第１のベルト層（１１ａ）を、前記第１の補助ドラム（１９）に対して半径方向外側位置に貼り付けるステップと、
ｉｉ）前記第１の補強コードに対して交差する方向に沿って傾斜した第２の補強コードを備える第２のベルト層（１１ｂ）を、前記第１のベルト層（１１ａ）に対して半径方向外側位置に貼り付けるステップとをさらに含む請求項１に記載の方法。
【請求項４】
前記ステップｂ１）が、
ｉｉｉ）前記スリーブの前記周方向伸長方向に対して実質的に平行な補強コードを含むベルト層（１２）を得るように、少なくとも１つの補強コードを含む未加硫エラストマー材料のストリップ状要素（２３）を、前記第１の補助ドラム（１９）に対して半径方向外側位置に貼り付けて、軸方向に連続する周方向コイルを形成するステップをさらに含む請求項１又は３に記載の方法。
【請求項５】
未加硫エラストマー材料の前記ストリップ状要素（２３）が、前記第２のベルト層（１１ｂ）に対して半径方向外側位置に貼り付けられる請求項４に記載の方法。
【請求項６】
前記ステップｂ１）が、
ｉｖ）複数の補強コードを備える未加硫エラストマー材料の別の層（１３）を、前記少なくとも１つのベルト層（１１ａ、１１ｂ、１２）に対して半径方向外側位置に貼り付けるステップをさらに含む請求項１、３、４又は５に記載の方法。
【請求項７】
前記ステップｂ２）が、前記第２の作業位置（Ｂ）において、トレッドバンド（５）の半径方向内側層を形成するように、前記第２のベルト構造体（４）の全体横断方向伸長部に実質的に沿って、未加硫エラストマー材料の前記第１の連続する細長要素（２７）を、前記第２のベルト構造体（４）に対して半径方向外側位置に置くことによって行われる請求項１に記載の方法。
【請求項８】
前記ステップｂ２）が、前記第２の作業位置（Ｂ）において、トレッドバンド（５）の半径方向外側層を形成するように、前記トレッドバンド（５）の前記半径方向内側層の全体横断方向伸長部に実質的に沿って、前記第２の連続する細長要素（２８）を、前記トレッドバンド（５）の前記半径方向内側層に対して半径方向外側位置に置くことによって行われる請求項７に記載の方法。
【請求項９】
前記ステップｂ２）が、前記第２の作業位置（Ｂ）において、前記トレッドバンド（５）の対応する部分を形成するように、前記第１の連続する細長要素（２７）を、前記第２のベルト構造体（４）の少なくとも一部に対して半径方向外側位置に置くことによって行われる請求項１に記載の方法。
【請求項１０】
前記ステップｂ２）が、前記第２の作業位置（Ｂ）において、前記トレッドバンド（５）の別の部分を形成するように、前記第１の連続する細長要素（２７）によって形成された前記トレッドバンド（５）の前記少なくとも一部に対して軸方向に整列された位置に、前記第２の連続する細長要素（２８）を置くことによって行われる請求項９に記載の方法。
【請求項１１】
前記ステップｂ）が、
ｂ５）前記持ち上げ位置（Ｃ）において、それぞれの所定の経路に沿って、未加硫エラストマー材料の第３の連続する細長要素を、前記第２のベルト構造体（４）に対して半径方向外側位置に貼り付けるステップをさらに含む請求項１に記載の方法。
【請求項１２】
前記第１の連続する細長要素（２７）及び前記第２の連続する細長要素（２８）が前記第２の補助ドラム（２０）の両側に置かれる請求項７〜１０のいずれか一項に記載の方法。
【請求項１３】
前記ステップｂ５）が、前記持ち上げ位置（Ｃ）で前記補助ドラム（１９、２０）の一方の近くに配置されたそれぞれの供給部材から、前記第３の連続する細長要素を供給し、同時に、前記連続する細長要素を前記補助ドラム（１９、２０）の一方に巻回することによって行われる請求項１１に記載の方法。
【請求項１４】
前記連続する細長要素（２７、２８）の供給が、前記供給部材（２５、２６）で押出し成形することによって行われる請求項１又は１３に記載の方法。
【請求項１５】
前記ステップｂ２）又はｂ５）が、前記連続する細長要素（２７、２８）を貼り付けるのと同時に、
ｄ）前記連続する細長要素（２７、２８）を、前記第１又は前記第２のベルト構造体（４）に対して半径方向外側位置に周方向に分配するように、前記第１又は第２のベルト構造体（４）を支持する前記補助ドラム（１９、２０）の少なくとも一方に、前記補助ドラムの幾何学的軸線を中心とする回転運動を与えるステップと、
ｅ）前記少なくとも１つの補助ドラム（１９、２０）と前記供給部材（２５、２６）との間における制御された相対移動を行って、前記連続する細長要素（２７、２８）を用いて、前記トレッドバンド（５）を画定するように互いに並んだ関係で配置された複数のコイルを形成するステップと、
を行うことによって達成される請求項１又は１３に記載の方法。
【請求項１６】
前記移動が、前記供給部材（２５、２６）に対して前記少なくとも１つの補助ドラム（１９、２０）を移動させることによって行われる請求項１５に記載の方法。
【請求項１７】
前記ステップｄ）とｅ）が、前記少なくとも１つの補助ドラム（１９、２０）に作用する前記移動装置（１８）によって行われる請求項１５に記載の方法。
【請求項１８】
前記円筒状スリーブの前記持ち上げ位置（Ｃ）が前記第１の作業位置（Ａ）と実質的に一致する請求項１に記載の方法。
【請求項１９】
前記ステップｃ）の後に、前記ほぼ円筒状のスリーブを前記カーカス構造体（３）に関連付けるように、前記カーカス構造体（３）と、前記カーカス構造体に対して半径方向外側位置に移送された前記スリーブとを、ほぼ円環状の形状に従って成形するステップをさらに含む請求項１に記載の方法。
【請求項２０】
車両の車輪用タイヤを製造するためのプラント（１）であって、
ａ）軸方向に互いに離間した環状固定構造体（７）に動作可能に結合された少なくとも１つのカーカスプライ（１０）を備えるほぼ円筒状のカーカス構造体（３）を構築するための構築ステーション（１４）と、
ｂ）少なくとも１つのベルト層（１１ａ、１１ｂ、１２）を備えるベルト構造体（４）に対して半径方向外側位置に貼り付けられたトレッドバンド（５）を備えるほぼ円筒状のスリーブを製造するための仕上げステーション（１７）であって、
ｂ１）第１の補助ドラム（１９）と、
ｂ２）第２の補助ドラム（２０）と、
ｂ３）前記補助ドラム（１９、２０）を支持するように、及び、前記ベルト構造体（４）が組み立てられる第１の作業位置（Ａ）に、前記トレッドバンド（５）が貼り付けられる第２の作業位置（Ｂ）に、及び前記ほぼ円筒状のスリーブの持ち上げ位置（Ｃ）に、前記補助ドラム（１９、２０）を位置決めするように構成された移動装置（１８）であって、前記第１の作業位置（Ａ）及び前記第２の作業位置（Ｂ）が前記仕上げステーション（１７）の異なる領域に画定される、移動装置（１８）と、
ｂ４）連続する周方向コイル状に未加硫エラストマー材料の連続する細長要素（２７、２８）を置くことによって、前記ベルト構造体（４）に対して半径方向外側位置に前記トレッドバンド（５）を貼り付ける少なくとも２つの供給部材（２５、２６）であって、前記補助ドラム（１９、２０）の一方と動作可能に相互作用するために前記第２の作業位置（Ｂ）に配置される、供給部材（２５、２６）と、
を備える、仕上げステーション（１７）と、
ｃ）前記構築ステーション（１４）で構築されたカーカス構造体（３）に対して半径方向外側位置に、前記仕上げステーション（１７）で製造された前記ほぼ円筒状のスリーブを移送するために、前記持ち上げ位置（Ｃ）で前記補助ドラム（１９、２０）の一方と動作可能に相互作用するように構成された、前記ほぼ円筒状のスリーブの少なくとも１つの移送装置（３６）と、
を備え、
前記仕上げステーション（１７）の前記作業位置（Ａ、Ｂ）が互いに角度的にオフセットされ、
ｉ）前記移動装置（１８）は、ほぼタレット状のタイプであり、前記角度的にオフセットされた前記作業位置（Ａ、Ｂ）で、前記補助ドラム（１９、２０）を支持するように構成され、
ｉｉ）前記プラント（１）は、実質的に垂直な回転軸線（Ｙ−Ｙ）を中心に前記移動装置（１８）を回転させるように構成された少なくとも１つの駆動ユニット（３５）を備え、
ｉｉｉ）前記補助ドラム（１９、２０）が、前記移動装置（１８）によって、前記移動装置（１８）の回転軸（Ｙ−Ｙ）を通過する半径方向に沿って摺動可能に支持され、前記移動装置（１８）の前記ドラム移動ユニット（３３、３４）が、前記作業位置（Ａ、Ｂ）と、前記作業位置（Ａ、Ｂ）から、前記移動装置（１８）の前記回転軸線（Ｙ−Ｙ）までの間に画定された待機位置との間で、前記補助ドラム（１９、２０）を移動させる、
プラント（１）。
【請求項２１】
前記補助ドラム（１９、２０）の一方と動作可能に相互作用するために前記第１の作業位置（Ａ）に配置された、ベルト層の少なくとも１つの供給装置（２４）をさらに備える請求項２０に記載のプラント（１）。
【請求項２２】
前記スリーブの前記周方向伸長方向に対して実質的に平行な補強コードを含むベルト層（１２）を形成するように、前記補助ドラム（１９、２０）の一方と動作可能に相互作用するために前記第１の作業位置（Ａ）に配置された、少なくとも１つの補強コードを含む未加硫エラストマー材料のストリップ状要素（２３）の少なくとも１つの供給装置（２２）をさらに備える請求項２０又は２１に記載のプラント（１）。
【請求項２３】
前記補助ドラム（１９、２０）の一方と動作可能に相互作用するために前記第１の作業位置（Ａ）に配置された、複数の補強コードを備えるベルト層（１３）の少なくとも１つの別の供給装置を備える請求項２０〜２２のいずれか一項に記載のプラント（１）。
【請求項２４】
前記補助ドラム（１９、２０）の一方と動作可能に相互作用するために前記持ち上げ位置（Ｃ）に配置された、未加硫エラストマー材料のそれぞれの第３の連続する細長要素の少なくとも１つの第３の供給部材をさらに備える請求項２０〜２３のいずれか一項に記載のプラント（１）。
【請求項２５】
前記連続する細長要素（２７、２８）の前記供給部材（２５、２６）が少なくとも１つの押出機（２９、３０）を備える請求項２０又は２４に記載のプラント（１）。
【請求項２６】
前記移動装置（１８）が、前記補助ドラム（１９、２０）の幾何学的軸線を中心に前記補助ドラムを回転させるように構成された少なくとも１つのドラム回転ユニット（３１、３２）を備える請求項２０又は２４に記載のプラント（１）。
【請求項２７】
前記移動装置（１８）が、前記作業位置（Ａ、Ｂ）において又は前記持ち上げ位置（Ｃ）において前記補助ドラム（１９、２０）の制御された軸方向移動を行うように構成された少なくとも１つのドラム移動ユニット（３３、３４）を備える請求項２０又は２４に記載のプラント（１）。
【請求項２８】
前記連続する細長要素（２７、２８）の前記供給部材（２５、２６）が、前記補助ドラム（１９、２０）の一方の両側で動作可能に相互作用するために前記第２の作業位置（Ｂ）に配置される請求項２０に記載のプラント（１）。
【請求項２９】
前記円筒状スリーブの前記持ち上げ位置（Ｃ）が前記第１の作業位置（Ａ）と実質的に一致する請求項２０に記載のプラント（１）。
【請求項３０】
前記ベルト構造体（４）と前記トレッドバンド（５）とを備える前記ほぼ円筒状のスリーブを前記カーカス構造体（３）に関連付けるように、ほぼ円環状の形状に従って前記カーカス構造体（３）を成形するための、少なくとも１つの装置をさらに備える請求項２０に記載のプラント（１）。
【請求項３１】
車両の車輪用タイヤを製造するためのプラント（１）であって、請求項２０〜３０のいずれか一項に記載の製造プラント（１）と、前記製造プラント（１）で得られたタイヤを加硫するための少なくとも１つの加硫ステーションとを備えるプラント（１）。
【発明の詳細な説明】
【技術分野】
【０００１】
発明の背景
本発明は、車両の車輪用タイヤを製造するための方法に関する。
【０００２】
本発明はまた、上記製造方法を行うために使用し得る車両用タイヤを製造するためのプラントと、車両の車輪用タイヤを製造するためのプラントとに関する。
【背景技術】
【０００３】
先行技術
車両の車輪用タイヤは、一般に、環状固定構造体の周りでループ状に折り返された端部フラップを両側にそれぞれ有する少なくとも１つのカーカスプライを含むカーカス構造体を備え、前記固定構造体の各々は、通常、実質的に周方向の環状インサートから成り、前記固定構造体の半径方向外側位置において、前記環状インサートに少なくとも１つの充填インサートが貼り付けられる。
【０００４】
互いにまたカーカス構造体に半径方向に重ね合わせられた関係で配置された補強繊維コード又は補強金属コードを有する１つ以上のベルト層を備えるベルト構造体が、カーカス構造体に関連付けられる（associated）。タイヤを構成する他の半完成品と同様にエラストマー材料から製造されたトレッドバンドは、ベルト構造体の半径方向外側位置でベルト構造に貼り付けられる。
【０００５】
本発明の説明の枠内においてまた冒頭の特許請求の範囲において、「エラストマー材料」という用語は、少なくとも１つのエラストマーポリマーと少なくとも１つの補強充填剤とを含む組成物を示すために用いられる。このような組成物は、例えば、架橋剤及び／又は可塑剤のような添加剤をさらに含むことが好ましい。架橋剤が存在することによって、このような材料は、完成品を形成するように熱によって架橋することができる。
【０００６】
さらに、エラストマー材料のそれぞれのサイドウォールもカーカス構造体の側面に貼り付けられる。前記サイドウォールの各々は、トレッドバンドの側縁の一方からビードのそれぞれの環状固定構造体まで延在し、このサイドウォールは、異なる実施形態に応じて、通常「上層サイドウォール」と呼ばれるタイプの構造スキームを形成するようにトレッドバンドの側縁に重ね合わせられるか、又は「下層サイドウォール」と呼ばれるタイプの構造スキームに従ってカーカス構造体とトレッドバンド自体の側縁との間に挿入されたそれぞれの半径方向外側端縁を有することができる。
【０００７】
タイヤを製造するための従来の工程の大部分において、カーカス構造体と、レッドバンドを伴うベルト構造体とは、それぞれのワークステーションで互いに別々に製造され、その後、互いに組み立てられることが規定される。
【０００８】
より詳しくは、カーカス構造体の構築は構築ステーションで行われ、この構築ステーションにおいて、最初に、ほぼ円筒状のスリーブを形成するために、「構築ドラム」として通常特定される第１のドラムへの１つ又は複数のカーカスプライの付着（deposition）が行われる。ビードの環状固定構造体は、１つ又は複数のカーカスプライの両側の端部フラップに装着又は形成され、次に、この端部フラップは、ある種のループで環状構造体を囲むように環状構造体自体の周りで折り返される。
【０００９】
それと同時に、第２のドラム（概して補助ドラムという用語で示されている）が設けられた仕上げステーションにおいて、同様にほぼ円筒状である外側スリーブが製造される。この外側スリーブは、互いに半径方向に重ね合わせられた関係で置かれたベルト層と、ベルト層の半径方向外側位置においてベルト層に貼り付けられたトレッドバンドとを備える。
【００１０】
次に、外側スリーブは、カーカススリーブに結合されるために、補助ドラムから持ち上げられる。このために、外側スリーブがカーカススリーブの周りに同軸関係に配置され、次に、タイヤのカーカス構造体の半径方向外側位置においてベルト／トレッドバンドのスリーブを前記カーカス構造体に貼り付けることを決定するように、ビードを互いに近接するように軸方向に移動させ、それと同時に、圧力下にある流体をカーカススリーブに収容することによって、１つ又は複数のカーカスプライが円環状の形態に成形される。
【００１１】
カーカススリーブを構築するために用いられる同一のドラムにおいて、カーカススリーブと外側スリーブとの組立を行うことができ、この場合、「単一段階の製造工程」が参照される。このタイプの製造工程は、例えば、米国特許第３，９９０，９３１号明細書に記載されている。
【００１２】
代わりに、例えば、欧州特許第０６１３７５７号明細書に記載されているように、いわゆる「２段階製造工程」に従ってタイヤを製造すべく、カーカススリーブ及び外側スリーブが移送されるいわゆる「成形ドラム」において組立を行ってもよい。
【００１３】
従来の製造方法では、トレッドバンドは、通常、連続的に押出し成形されたセクション部材（section member）から製造され、この連続的に押出し成形されたセクション部材は、その幾何学的形状を安定化させるように冷却された後、適切なベンチ又はリールに蓄積される。次に、セクション又は連続ストリップ形状の半完成品が供給ユニットに送られ、この供給ユニットが、セクションを持ち上げるか又は連続ストリップを所定の長さのセクションに切断し、各セクションが、製造中のタイヤのベルト構造体に周方向に貼り付けられてトレッドバンドを構成する。
【００１４】
機械的特性とタイヤの品質とをさらに向上させるために、予め押出し成形されかつベンチに又はリールに蓄積された連続ストリップを巻回して所定のサイズに切断するのではなく、代替方法で、すなわち、ベルト構造体に直接並んで配置されたコイル状に（according to coils）、連続する細長要素を巻回することによって、トレッドバンドを実現することが最近提案された。
【００１５】
実用的な観点から、このことは、例えば、同一出願人の名義の国際特許出願、国際公開第２００４／０４１５２１号パンフレットに記載されているように、以下の３つのステップを含む組立工程によって達成することができる。
ｉ）少なくとも１つのベルト層を備えるベルト構造体を補助ドラムに配置するステップ、
ｉｉ）連続する周方向コイル状に、エラストマー材料の少なくとも１つの連続する細長要素をベルト構造体に巻回することによって、トレッドバンドをベルト構造体に貼り付けるステップ、
ｉｉｉ）ベルト構造体とトレッドバンドとを含む円筒状スリーブを補助ドラムから持ち上げて、カーカススリーブに対して同軸にセンタリングされた位置に前記スリーブを移送するステップ。
【００１６】
このような連続する細長要素は、その場（in situ）で得られ、また複数のコイルを形成し、この複数のコイルの配向及び相互の重ね合わせパラメータは、電子計算機で予め設定された所定の付着スキームに基づいて、製造中にトレッドバンドに付与すべき厚さを変更することを制御するように適切に管理され、このようにして、トレッドバンドの品質特性が著しく向上し、このことにより、次に、タイヤの性能及び寿命に好影響が与えられる。
【００１７】
しかし、製造の観点から、タイヤの機械的特性及び品質特性のこの向上には、解決すべき困難な問題、すなわち、ベルト構造体とトレッドバンドとを備えるほぼ円筒状のスリーブが製造される仕上げステーションの生産性（単位時間で製造できる部片の数を意味する）に、カーカス構造体の構築ステーションの通常高い生産性を適合させるという問題が含まれる。
【００１８】
実際に、仕上げステーションの生産性は、未加硫エラストマー材料の連続する細長要素のコイル巻回ステップの固有の遅さの影響を非常に受ける。
【００１９】
カーカス構造体の構築ステーションの生産性と、ベルト構造体／トレッドバンドのスリーブが製造される仕上げステーションの生産性との不一致は、無視できず、特に、トレッドバンドが、例えば、基部と、地面に係合するように意図された半径方向外側部分とのような、少なくとも２つの部分を備える場合、管理上、重要である。より正確には、構築ステーションで構築されたカーカス構造体は、上記スリーブを収容するために待機しているあいだ、そのセンタリング状態を失わないように固定されたままであり、上記部分の製造に起因して、前記待機により、次のカーカス構造体を構築することを妨げる状態が、数分のオーダの期間だけ継続してしまうので、グリーンタイヤを製造するのに必要な全サイクル時間が延長される。
【発明の概要】
【発明が解決しようとする課題】
【００２０】
発明の基礎となる課題
本出願人は、トレッドバンドのスリーブが、少なくとも１つの連続する細長要素をコイルに巻回することによって製造されたトレッドバンドを含む場合でも、カーカス構造体の構築ステーションの異なる生産速度と、ほぼ円筒状のベルト構造体／トレッドバンドのスリーブを製造するように意図された仕上げステーションとの異なる生産速度とを適合させつつ、高品質のタイヤを製造する、という課題を解決することを意図する。
【課題を解決するための手段】
【００２１】
発明の概要
本発明によれば、本出願人は、以下の３つの手法を用いることによって、半完成品の組立を提供するタイヤ製造工程の枠組みにおいて、製品の生産性及び品質全体に関して著しい向上が実現されることを見出した。
−少なくとも２つの補助ドラムにおいて、仕上げステーションで実現される種々の半完成品を支持すること、
−ベルト構造体とトレッドバンドとを含むスリーブを製造するように意図された仕上げステーションにおいて、周期的に繰り返される製造ステップ及びドラム位置決めステップの特別なスーケンスを行うこと、
−仕上げステーションの異なる領域に画定された２つの作業位置において、互いに少なくとも部分的に同時に行われる動作ステップによって、カーカス構造体とトレッドバンド（未加硫エラストマー材料の少なくとも１つの連続する細長要素をコイル状に巻回することによって）とを実現すること。
【００２２】
より詳しくは、本発明は、その第１の態様によれば、車両の車輪用タイヤを製造するための方法であって、
ａ）構築ステーションにおいて、軸方向に互いに離間した環状固定構造体に動作可能に結合された少なくとも１つのカーカスプライを備えるほぼ円筒状のカーカス構造体を構築するステップと、
ｂ）仕上げステーションにおいて、少なくとも１つのベルト層を備えるベルト構造体に対して半径方向外側位置に貼り付けられたトレッドバンドを備えるほぼ円筒状のスリーブを製造するステップであって、
ｂ１）第１の作業位置において、仕上げステーションの第１の補助ドラムに第１のベルト構造体を組み立てるステップと、
ｂ２）第２の作業位置において、仕上げステーションの第２の補助ドラムに予め組み立てられた第２のベルト構造体に対して半径方向外側位置にトレッドバンドを貼り付けるステップであって、該貼付ステップが、それぞれの所定の経路に沿って、未加硫エラストマー材料の第１及び第２の連続する細長要素を、前記第２のベルト構造体に対して半径方向外側位置に置くことによって行われる貼付ステップと、
ｂ３）第１のベルト構造体を支持する第１の補助ドラムを前記第２の作業位置に位置決めするステップと、
ｂ４）このようにして得られたほぼ円筒状のスリーブを支持する前記第２の補助ドラムを仕上げステーションの持ち上げ位置に位置決めするステップと、
を含むステップｂ）と、
ｃ）前記ほぼ円筒状のスリーブを仕上げステーションの前記持ち上げ位置から、構築ステーションでその間に（in the meantime）構築されたカーカス構造体に対して半径方向外側位置に移送するステップとを含み、
前記ステップｂ１）〜ｂ４）が周期的に繰り返され、
前記ステップｂ１）とｂ２）が互いに少なくとも部分的に同時に行われ、
前記ステップｂ３）とｂ４）が互いに少なくとも部分的に同時に行われる方法に関する。
【００２３】
本発明による製造方法の好ましい特徴は、その内容全体が参照により本明細書に援用されている添付された従属請求項２〜２４で規定されている。
【００２４】
本発明の別の態様によれば、上記方法は、
ａ）軸方向に互いに離間した環状固定構造体に動作可能に結合された少なくとも１つのカーカスプライを備えるほぼ円筒状のカーカス構造体を構築するための構築ステーションと、
ｂ）少なくとも１つのベルト層を備えるベルト構造体に対して半径方向外側位置に貼り付けられたトレッドバンドを備えるほぼ円筒状のスリーブを製造するための仕上げステーションであって、
ｂ１）第１の補助ドラムと、
ｂ２）第２の補助ドラムと、
ｂ３）前記補助ドラムを支持するように、また前記ベルト構造体が組み立てられる第１の作業位置に、前記トレッドバンドが貼り付けられる第２の作業位置に、及び前記ほぼ円筒状のスリーブの持ち上げ位置に、前記補助ドラムを位置決めするように構成された移動装置であって、前記第１の作業位置及び前記第２の作業位置が、仕上げステーションの異なる領域に画定される、移動装置と、
ｂ４）前記補助ドラムの一方と動作可能に相互作用するために（operatively interacting）前記第２の作業位置に配置された、未加硫エラストマー材料（green elastomeric material）のそれぞれの連続する細長要素の少なくとも２つの供給部材と、
を備える仕上げステーションと、
ｃ）構築ステーションで構築されたカーカス構造体に対して半径方向外側位置に、仕上げステーションで製造された前記ほぼ円筒状のスリーブを移送するために、前記持ち上げ位置で前記補助ドラムの一方と動作可能に相互作用するように構成された、前記ほぼ円筒状のスリーブの少なくとも１つの移送装置と、
を備える、車両の車輪用タイヤを製造するためのプラントによって行うことができる。
【００２５】
本発明による製造プラントの好ましい特徴は、その内容全体が参照により本明細書に援用されている添付された従属請求項２６〜４０で規定されている。
【００２６】
本発明の別の態様によれば、本発明は、上記製造プラントと、上記製造プラントで製造されたタイヤを加硫するための少なくとも１つの加硫ステーションとを備える、車両の車輪用タイヤを製造するためのプラントに関する。
【００２７】
本発明の追加の特徴及び利点は、本発明に基づく、車両の車輪用タイヤを製造するための方法及びプラントの、好ましいが、限定的でない実施形態の詳細な説明からより明らかになるであろう。
【００２８】
例示的でありかつ限定的でない添付図面を参照して、本発明について以下に説明する。
【図面の簡単な説明】
【００２９】
【図１】本発明に基づく、タイヤを製造するためのプラントの第１の好ましい実施形態の概略平面図である。
【図２】本発明の方法及びプラントに従って得ることが可能なタイヤの概略部分断面図である。
【発明を実施するための形態】
【００３０】
好ましい実施形態の詳細な説明
図１を参照すると、本発明の好ましい実施形態による製造方法を行うように構成された、車両の車輪用タイヤを製造するためのプラントが、概して１で示されている。
プラント１によって製造できるタイヤは、図２において概して２で示されており、車両の車輪又は重車両の車輪に備えられるように意図されたタイヤであることができる。
【００３１】
タイヤ２は、本質的にほぼ円環状の形態を有するカーカス構造体３と、カーカス構造体３の周りに周方向に延在するほぼ円筒状の形態を有するベルト構造体４と、ベルト構造体４の半径方向外側位置においてベルト構造体４に貼り付けられたトレッドバンド５と、カーカス構造体３の両側に横方向に貼り付けられ、かつトレッドバンド５の側縁からカーカス構造体３の半径方向内縁まで各々が延在する、一対のサイドウォール６とを備える。
【００３２】
各サイドウォール６は、本質的に、図２の実線で示されているように、通常「下層サイドウォール」として特定される種類の構造スキームに従って、適切な厚さを有するエラストマー材料の層を備え、またトレッドバンド５の軸方向端部によって少なくとも部分的に覆われた半径方向外端テールピース６ａを有し得る。
【００３３】
代わりに、図２の一点破線で示されているように、通常「上層サイドウォール」として特定される種類の構造スキームを実現するために、サイドウォール６の半径方向外端テールピース６ａをトレッドバンド５の対応する軸方向端部に横方向に重ね合わせてもよい。
【００３４】
カーカス構造体３は、通常「ビード」として特定される領域に一体化された一対の環状固定構造体７を備え、これらの一対の環状固定構造体の各々は、例えば、通常「ビードコア」と呼ばれる実質的に周方向の環状インサート８から成り、また前記一対の環状固定構造体の半径方向外側位置でエラストマー充填材９を支持する。環状固定構造体７の各々の周りにおいて、２つの環状固定構造体７の間の所定の傾斜にできるだけ従ってタイヤ２の周方向伸長部に対して横断方向に延在する繊維コード又は金属コードを備える１つ以上のカーカスプライ１０の端部フラップ１０ａが折り返される。
【００３５】
次に、ベルト構造体４は、適切な材料、例えば金属コード又は繊維コードから製造された補強コードを備える少なくとも１つのベルト層、好ましくは、少なくとも２つのベルト層１１ａ、１１ｂを備える。
【００３６】
上記補強コードは、一方のベルト層と他方のベルト層との間でそれぞれ交差する方向に、タイヤ２の周方向伸長部に対して適切に傾斜することが好ましい。
【００３７】
好ましい実施形態では、ベルト構造体４は、ベルト層１１ａ、１１ｂに対して半径方向外側位置に少なくとも１つのベルト層１２をさらに備え、この少なくとも１つのベルト層は、少なくとも１つの補強コード、好ましくは、軸方向に並んで配置されたコイル状に周方向に巻回され、かつ関連技術で通常「０度のコード」と呼ばれる、複数のコードを含む。
【００３８】
好ましい実施形態では、ベルト構造体４は、ベルト構造体４の横断方向伸長部全体に実質的に延在する０度のコードを含むベルト層１２を備えることができる。代わりに、ベルト構造体４は、図２に概略的に示されているように、タイヤ２の両側ショルダ領域の近くに配置されかつ制限された幅の一部に沿って軸方向に延在する、０度のコードを各々が含む一対のベルト層１２を備えてもよい。
【００３９】
トラック及び大型輸送車両用タイヤのような重作業用タイヤ（heavy-duty tyres）において、ベルト構造体４は、エラストマー材料から製造された別の層１３を、ベルト層１１ａ、１１ｂに対して半径方向外側位置に組み込むことも可能である。別の層１３は、異物が下層ベルト層に入ることを防止するように意図された、通常「ブレーカ層」と呼ばれる複数の補強コードを含むことが好ましい。
【００４０】
トレッドバンド５は、本質的に、１つのエラストマー材料から成るか、又はその代わりに、適切な組成と適切な機械的特性及び物理化学的特性とを有するそれぞれのエラストマー材料から成るいくつかの部分を備えてもよい。
【００４１】
これらの部分は、適切な厚さを有する半径方向に重ね合わせられた１つ以上の層によって、所定の構造に従ってトレッドバンドの軸方向伸長部に沿って配置された適切に成形されたセクターによって、又は両方の組み合わせによって構成することが可能である。
【００４２】
このようにして、例えば、トレッドバンド５は、例えばタイヤの転がり抵抗を低減するように構成された適切な組成及び機械的特性及び物理化学的特性を有する第１のエラストマー材料から本質的に成る半径方向内側層又は基層と、例えば湿潤路面におけるグリップ性能とタイヤの耐摩耗性とを最適化するように構成されると共に第１のエラストマー材料とは異なる組成及び機械的特性及び物理化学的特性を有する第２のエラストマー材料から本質的に成る半径方向外側層とを含んでもよい。
【００４３】
特に、環状固定構造体７、カーカスプライ１０、ベルト層１１ａ、１１ｂ、及び少なくとも１つの補強コードを含みかつベルト層１２、選択的にブレーカ層１３を形成するように意図されたエラストマー材料の要素（ストリップ状要素）のような、カーカス構造体３及びベルト構造体４の個々の構成要素が、以下に説明するステップに従って互いに適切に組み立てられるように、先行する製造ステップ中に製造された半完成品形状でプラント１に供給される。
【００４４】
次に、図１を参照して、車両の車輪用タイヤを製造するための、例えば、上記種類のタイヤ２を製造するための、本発明によるプラント１の第１の好ましい実施形態について説明する。
【００４５】
以下の説明において、半完成品の状態のタイヤ２の種々の構成要素について、また未加硫状態、すなわち、種々の半完成品を共に結合して最終的なタイヤ２を提供する加硫作業の前の状態で使用される種々のエラストマー材料に関して、言及する。
【００４６】
プラント１は、軸方向に互いに離間した環状固定構造体７に動作可能に結合された１つ以上のカーカスプライ１０を備えるほぼ円筒状のカーカス構造体３を構築するように意図された構築ステーション１４を備える。
【００４７】
構築ステーション１４は、１つ又は複数のカーカスプライ１０が好ましくは巻回される一次ドラム１５（任意の都合の良い方法で製造できるので、詳細に説明されていない）を備える。前記プライが供給ライン１６から来ると、ほぼ円筒状のいわゆる「カーカススリーブ」を形成するように一次ドラム１５に貼り付けられる前に、前記供給ラインに沿って、前記プライが、一次ドラム１５の周方向延長部に関連する適切な長さのセクションに切断される。
【００４８】
構築ステーション１４は、サイドウォール６を供給するためのライン（図示せず）も備え、このラインは、エラストマー材料の連続ストリップ形状の半完成品を供給する。この半完成品から、所定の長さのセクションが切断される。前記長さは、一次ドラム１５及び製造すべきタイヤ２の周方向延長部に関連する。
【００４９】
代わりに、構築ステーション１４に、カーカス構造体３の構成要素の組立、及び、可能であればサイドウォール６の構成要素の組立も行う別の構築ドラム（図示せず）と、組み立てられたカーカススリーブを一次ドラム１５に移送するための移送装置（同様に図示せず）とを設けてもよい。
【００５０】
プラント１は、
ｉ）１つ以上の未加硫エラストマー材料を含むトレッドバンド５であって、ベルト構造体４に対して半径方向外側位置に貼り付けられるトレッドバンド５と、
ｉｉ）一方のベルト層と他方の層との間でそれぞれ交差する方向に従って前記スリーブの周方向伸長方向に対して適切に傾斜した補強コードを含む層１１ａ、１１ｂを含み、前記ほぼ円筒状のスリーブの周方向伸長方向に対して実質的に平行な補強コードを含む層１２であって、この好ましい別形態では、層１１ａ、１１ｂに対して半径方向外側位置に貼り付けられる層１２を選択的に含み、この好ましい別形態では、層１２に対して半径方向外側位置に貼り付けられるブレーカ層１３を選択的に含む、ベルト構造体４と、
を備えるほぼ円筒状のスリーブを製造するように意図された仕上げステーション１７をさらに備える。
【００５１】
次に、仕上げステーション１７は、第１の補助ドラム１９と第２の補助ドラム２０とを支持するように、また上記ほぼ円筒状のスリーブを製造するために必要な動作ステップが行われる複数の作業位置に、前記補助ドラム１９、２０を位置決めするように構成された移動装置１８を備える。
【００５２】
より詳しくは、移動装置１８は、ベルト構造体４が組み立てられる図１の符号Ａで示されている第１の作業位置に、トレッドバンド５が貼り付けられる図１の符号Ｂで示されている少なくとも１つの第２の作業位置に、また仕上げステーション１７で製造されたほぼ円筒状のスリーブの持ち上げ位置Ｃに、補助ドラム１９、２０を位置決めするように構成される。
【００５３】
この好ましい実施形態では、ほぼ円筒状のスリーブの持ち上げ位置Ｃは第１の作業位置Ａと実質的に一致する。
【００５４】
第１の作業位置Ａ及び第２の作業位置Ｂは、仕上げステーション１７の異なる領域に画定され、好ましくは、移動装置１８の反対側に画定される。
【００５５】
さらに、図１に示されている好ましい実施形態では、持ち上げ位置Ｃにおいて、移動装置１８によって持ち上げ位置Ｃに位置決めされた補助ドラム１９、２０が、構築ステーション１４の一次ドラム１５と同軸整列関係となるように配置されることが提供される。
【００５６】
仕上げステーション１７は、移動装置１８によって第１の作業位置Ａに配置された補助ドラム１９、２０と動作可能に相互作用するように構成された、概して２１で示されている、同一の補助ドラムにベルト構造体４を貼り付けるための装置を備える。
【００５７】
次に、貼付装置２１は、移動装置１８によって第１の作業位置Ａに配置された補助ドラム１９、２０と動作可能に相互作用するために前記作業位置に配置された、ベルト層１１ａ、１１ｂの少なくとも１つの供給装置２４を備える。
【００５８】
例としては、供給装置２４は、それ自体既知であるように、連続ストリップ形状の半完成品を前方に移動させる少なくとも１つの供給ライン２４ａを含むことが可能である。ここで、前記ストリップは、補助ドラム１９、２０の周方向伸長部に対応する長さのセクションに切断され、同時に、それぞれのベルト層１１ａ、１１ｂが同一のドラムに形成される。
【００５９】
好ましい実施形態では、仕上げステーション１７の貼付装置２１は、少なくとも１つの補強コード、好ましくは複数の補強繊維コード又は補強金属コードを含む未加硫エラストマー材料のストリップ状要素２３の少なくとも１つの供給装置２２をさらに備える。ストリップ状要素２３は、ベルト層１２を形成するように意図された軸方向に連続する周方向コイルを形成するためにベルト層１１ａ、１１ｂに対して半径方向外側位置に貼り付けられる。
【００６０】
このために、供給装置２２は、移動装置１８によって第１の作業位置Ａに配置された補助ドラム１９、２０と動作可能に相互作用するために前記作業位置に配置される。
【００６１】
好ましい実施形態では、装置２１は、上記ブレーカ層１３を形成するために移動装置１８によって第１の作業位置Ａに配置された補助ドラム１９、２０と動作可能に相互作用するために前記作業位置に配置された、複数の補強コードを含むことが好ましい別のベルト層の少なくとも１つの供給装置をさらに備える。
【００６２】
仕上げステーション１７は、未加硫エラストマー材料のそれぞれ連続する細長要素２７、２８の少なくとも２つの供給部材２５、２６をさらに備え、これらの供給部材は、移動装置１８によって第２の作業位置Ｂに配置された補助ドラム１９、２０と動作可能に相互作用するために前記作業位置に配置される。
【００６３】
図１に示されている好ましい実施形態では、連続する細長要素２７、２８の供給部材２５、２６は、移動装置１８によって第２の作業位置Ｂに配置された補助ドラム１９、２０の両側で（at opposite sides）動作可能に相互作用するために前記作業位置に配置される。
【００６４】
供給部材２５、２６は、第２の作業位置Ｂに配置された補助ドラム１９又は２０に予め組み立てられたベルト構造体４に、連続する周方向コイル状に、連続する細長要素２７、２８を置くように構成される。
【００６５】
より詳しくは、供給部材２５、２６は、以下にさらに分かりやすく説明するように、細長要素自体をベルト構造体４に対して半径方向外側位置に巻回するのと同時に、第２の作業位置Ｂで補助ドラム１９又は２０によって支持されたベルト構造体４に対して半径方向外側位置に、連続する細長要素２７、２８を供給するように構成された、例えば押出機あるいはその代わりに貼付ローラ又は他の部材を備えることができる。
【００６６】
供給部材２５、２６の各々は、図１の参照番号２９、３０で示されている少なくとも１つの押出機を備えることが好ましい。
【００６７】
押出機２９、３０によって供給された連続する細長要素を、ベルト構造体４に対して半径方向外側位置に巻回するために、図１に示されている好ましい実施形態の移動装置１８は、補助ドラム１９、２０の幾何学的軸線を中心に補助ドラム１９、２０を回転させるように構成された少なくとも１つのドラム回転ユニット、好ましくは一対の回転ユニット３１、３２を備える。
【００６８】
このようにして、ベルト構造体４に対する半径方向外側位置において、連続する細長要素２７、２８の制御された付着を効果的に行うことが有利に可能である。
【００６９】
図１に示されているものによれば、移動装置１８は、ほぼタレット状のタイプ（turret-like type）であり、互いに角度的にオフセットされた（angularly offset with each other）、例えば約１８０°の角度でオフセットされた位置で、補助ドラム１９、２０を支持するように構成されることが好ましい。
【００７０】
移動装置１８には、補助ドラム１９、２０を上記第１の作業位置Ａ及び上記第２の作業位置Ｂに位置決めするように、実質的に垂直な回転軸線Ｙ−Ｙを中心に移動装置１８全体を回転させるべく構成された、少なくとも１つの駆動ユニット３５がさらに設けられることが好ましい。
【００７１】
補助ドラム１９、２０及びそれぞれの駆動ユニット３１、３２は、支持キャリッジ（図１にはあまり明確に示されていない）に沿って移動装置１８によって摺動可能に支持され、次に、前記支持キャリッジは、移動装置１８の回転可能な支持プラットフォーム３９に摺動可能に取り付けられることが好ましい。
【００７２】
各補助ドラム１９、２０は、回転可能な支持プラットフォーム３９に沿って、対応する回転ユニット３１、３２と共に一体的に移動することが好ましい。
【００７３】
好ましい実施形態では、移動装置１８は、作業位置Ａ、Ｂにおいて、又は仕上げステーション１７で製造されたベルト構造体４とトレッドバンド５とを含むほぼ円筒状のスリーブの持ち上げ位置Ｃにおいて、ドラム１９、２０の制御された軸方向移動を行うように構成された少なくとも１つのドラム移動ユニットを備える。
【００７４】
上記ドラム移動ユニットにより、補助ドラム１９、２０の制御された軸方向移動のみならず、関連付けられた回転ユニット３１、３２の制御された軸方向移動も行われることが好ましい。
【００７５】
図１に示されている好ましい実施形態では、移動装置１８は、例えば、補助ドラム１９、２０を支持する上記キャリッジに関連付けられた対応するナットのねじ山に係合するように構成されたウォームねじを備えたタイプの、一対のドラム移動ユニット３３、３４を備える。
【００７６】
明確に、ドラム移動ユニットは、例として上述されたものとは異なる作動機構であって、特定用途の要求に基づき当業者によって選択可能な作動機構を備えることができる。
【００７７】
移動装置１８のドラム移動ユニット３３、３４は、作業位置Ａ、Ｂ又は持ち上げ位置Ｃと、前記位置Ａ、Ｂ、Ｃから移動装置１８の回転軸線Ｙ−Ｙまでの間に画定された待機位置との間で、ドラム１９、２０を移動することが好ましい。
【００７８】
補助ドラム１９、２０の上記待機位置は、回転可能な支持プラットフォーム３９の外周の内側に画定されることが好ましい。
【００７９】
ドラム移動ユニット３３、３４が、図１の二重矢印Ｆ３、Ｆ４で示されているように、移動装置１８の回転軸線Ｙ−Ｙを通過する半径方向に沿って、ドラム１９、２０を移動することが好ましい。
【００８０】
このようにして、ドラム移動ユニット３３、３４により、以下の有利な技術的効果を達成することが可能になる。
ｉ）供給部材２５、２６に対して補助ドラム１９、２０を適切に移動させる効果、
ｉｉ）高い品質レベルを有するトレッドバンド５を製造するために必要なものに従って、ベルト構造体４に対する半径方向外側位置において、部分的に並んで配置され及び／又は部分的に互いに重ね合わせられたコイル状に、連続する細長要素２７、２８の制御された付着を行う効果、
ｉｉｉ）例えば、タイヤ２の任意の構造の非対称性を補償するために、貼付装置２１によって供給されるベルト層の所定のオフセットを行う効果、
ｉｖ）移動装置１８の回転軸線Ｙ−Ｙに近接するように補助ドラム１９、２０を移動させることによって、作業位置Ａと作業位置Ｂとの間における補助ドラム１９、２０の移動中の横断寸法と慣性力とを減少させる効果。
【００８１】
さらに有利なことに、ドラム移動ユニット３３、３４により、供給部材２５、２６の固定を維持しつつ、連続する細長要素２７、２８の制御された付着を行うことが可能になって、連続する細長要素の機械的貼付システムが簡略化され、これにより、プラント１を実現するためのコストが低減される。
【００８２】
プラント１は、仕上げステーション１７で製造されたほぼ円筒状のスリーブを、構築ステーション１４で構築されたカーカス構造体３に対して半径方向外側位置に移送するために、上記で特定されている持ち上げ位置Ｃ（本例の場合、第１の作業位置Ａと実質的に一致する）で補助ドラム１９、２０の一方と動作可能に相互作用するように構成された、仕上げステーション１７で製造されたほぼ円筒状のスリーブの少なくとも１つの移送装置３６をさらに備える。
【００８３】
移送装置３６は、好ましくは、ほぼ環状の構造を有し、仕上げステーション１７で製造されたベルト構造体４とトレッドバンド５とを含むほぼ円筒状のスリーブを持ち上げるために及び構築ステーション１４で構築されたカーカス構造体３に対して同軸となるように前記スリーブを移送するために持ち上げ位置Ｃに位置決めされた補助ドラム１９、２０の周りに配置されるように、既知の方法（図示せず）で動作される。
【００８４】
簡単にするために図示されていない好ましい代替実施形態では、プラント１は、移動装置１８によって持ち上げ位置Ｃに位置決めされた補助ドラム１９、２０と動作可能に相互作用するために、仕上げステーション１７で製造されたほぼ円筒状のスリーブの持ち上げ位置Ｃ（例えば第１の作業位置Ａと一致する）に配置された、未加硫エラストマー材料のそれぞれ連続する細長要素の第３の供給部材をさらに備えることが可能である。
【００８５】
本例において、特定用途の要求を満たすために必要な場合には常に、プラント１により、作業位置Ｂ及びほぼ円筒状のスリーブの持ち上げ位置Ｃ（例えば第１の作業位置Ａと一致する）の両方において、トレッドバンド５を付与することが可能である。
【００８６】
プラント１は、仕上げステーション１７で製造されたベルト構造体４とトレッドバンド５とを備えるほぼ円筒状のスリーブをカーカス構造体３に関連付けるために、ほぼ円環状の形状に従ってカーカス構造体３を成形するための少なくとも１つの装置（それ自体既知であるので図示せず）をさらに備える。
【００８７】
この成形装置は、以下にさらに分かりやすく説明するように、いわゆる単一段階製造工程を行うべく、構築ステーション１４内で一次ドラム１５と動作可能に相互作用するように構成されることが好ましい。
【００８８】
プラント１は、最後に、制御ユニット３７を備え、この制御ユニットによって、オペレータ３８は、同一の製造プラントで行うことができる種々の動作ステップをプログラムして管理することができる。
【００８９】
次に、上記プラント１を参照して、車両の車輪用タイヤ、例えば上記タイヤ２を製造するための、本発明による方法の第１の好ましい実施形態について説明する。
【００９０】
特に、図１に示されているような定常状態動作状態（steady-state working conditions）に基づく方法について説明する。この場合、補助ドラム１９は、第１の作業位置Ａにあり、半完成品を支持せず、これに対して、補助ドラム２０は、第２の作業位置Ｂにあり、当該方法の以前のステップにおいて前記ドラムに組み立てられたベルト構造体４を支持する。
【００９１】
本方法の第１のステップでは、軸方向に互いに離間した環状固定構造体７に動作可能に結合された少なくとも１つのカーカスプライ１０を備えるほぼ円筒状のカーカス構造体３が、構築ステーション１４で構築される。
【００９２】
このステップでは、供給ライン１６から来た１つ又は複数のカーカスプライ１０が、一次ドラム１５に貼り付ける前に、一次ドラム１５の周方向伸長部に関連付けられる適切な長さのセクションに切断され、ほぼ円筒状のいわゆる「カーカススリーブ」を形成するように一次ドラム１５に巻回される。
【００９３】
その後に、環状固定構造体７が１つ又は複数のプライ１０の端部フラップ１０ａの上に装着され、それに続き、端部フラップ自体の折り返しが行われて、固定構造体７が、折り返された１つ又は複数のプライ１０によってこのように形成されたループに係合させられる。また、タイヤのサイドウォール６をカーカススリーブに貼り付けることが可能であり、このサイドウォールは、エラストマー材料の連続ストリップ形状の半完成品を供給するそれぞれの少なくとも１つのサイドウォール供給ライン（図示せず）から来る。前記半完成品から、所定の長さのセクションが切断され、前記長さは、一次ドラム１５及び製造すべきタイヤ２の周方向伸長部に関連する。
【００９４】
本発明の方法により、仕上げステーション１７において、少なくとも１つのベルト層、この好ましい実施形態において、ベルト層１１ａ、１１ｂ、１２、選択的に１３を含むベルト構造体４に対して半径方向外側位置に貼り付けられたトレッドバンド５を備えるほぼ円筒状のスリーブを製造することが可能になる。
【００９５】
このほぼ円筒状のスリーブの製造は、円筒状スリーブの形状のカーカス構造体３（又はカーカススリーブ）の構成要素が一次ドラム１５に組み立てられるのと少なくとも部分的に同時に行われる。
【００９６】
より詳しくは、仕上げステーション１７で行われる、ベルト構造体４とトレッドバンド５とを含むほぼ円筒状のスリーブの製造は、以下に説明する動作ステップを含む。
【００９７】
本発明によれば、これらのステップは、少なくとも部分的に同時に行われる。
【００９８】
第１のステップでは、第１のベルト構造体４は、第１の作業位置Ａにおいて、仕上げステーション１７の第１の補助ドラム１９に組み立てられる。
【００９９】
好ましい実施形態では、第１のベルト構造体４の組立ステップは、第１の位置において、スリーブの周方向伸長方向に対して傾斜したそれぞれの補強コードを備える第１のベルト層１１ａを、第１の補助ドラム１９に対して半径方向外側位置に貼り付けるステップと、第１のベルト層１１ａに属する前記補強コードに対して交差する方向に沿って傾斜した補強コードを備える第２のベルト層１１ｂを、第１のベルト層１１ａに対して半径方向外側位置に貼り付けるステップとを行うことを提供する。
【０１００】
これらのステップは、ベルト層の供給装置２４を使用して行われることが有利である。供給装置２４は、移動装置１８によって、また種々の半完成品を貼り付けている間に補助ドラム１９の幾何学的軸線を中心に補助ドラム１９を回転させる回転ユニット３１によって第１の作業位置Ａに位置決めされた補助ドラム１９と動作可能に相互作用する。
【０１０１】
より具体的には、供給装置２４の供給ライン２４ａは、連続ストリップ形状の半完成品を供給し、次に、前記半完成品が、補助ドラム１９の周方向伸長部に対応する長さのセクションに切断され、同時に、それぞれのベルト層１１ａ、１１ｂが、回転ユニット３１によって同時に回転される同ドラムに形成される。
【０１０２】
したがって、好ましい実施形態では、第１のベルト構造体４の組立ステップは、製造中のほぼ円筒状のスリーブの周方向伸長方向に対して実質的に平行な補強コードを含むベルト層１２を得るように、１つ又は複数の補強コードを含む未加硫エラストマー材料の少なくとも１つのストリップ状要素２３を、第１の補助ドラム１９に対して半径方向外側位置に貼り付けて、軸方向に連続する周方向コイルを形成するステップを行うことを提供する。
【０１０３】
上記ストリップ状要素２３は、第１のベルト構造体４の横断方向伸長部全体に実質的に沿って第２のベルト層１１ｂに対して半径方向外側位置に貼り付けられるか、又はその代わりに、下層ベルト層１１ａ、１１ｂの対向する軸方向端部のみに貼り付けられることが好ましい。
【０１０４】
このステップは、貼付装置２１の供給装置２２によって行われることが有利である。供給装置２２もまた、移動装置１８によって第１の作業位置Ａに配置された補助ドラム１９と動作可能に相互作用するために第１の作業位置Ａに配置される。
【０１０５】
好ましい実施形態では、第１のベルト構造体４の組立ステップは、最後に、好ましくはスリーブの周方向伸長方向に対して傾斜した好ましくは複数の補強コードを含む未加硫エラストマー材料のブレーカ層１３を、下層ベルト層に対して半径方向外側位置に、この場合、ベルト層１２に対して半径方向外側位置に貼り付けるステップを行うことを提供する。
【０１０６】
このステップは、好ましくは複数の補強コードを含むベルト層の別の供給装置（供給装置は簡単にするために図１には示されていない）によって行われることが有利である。かかる別の供給装置は、移動装置１８によって第１の作業位置Ａに配置された補助ドラム１９と動作可能に相互作用するために第１の作業位置Ａに配置される。
【０１０７】
ベルト構造体とトレッドバンドとを含むほぼ円筒状のスリーブの製造は、本方法の以前の動作ステップにおいて第２の補助ドラム２０に組み立てられた第２のベルト構造体４に対して半径方向外側位置に、トレッドバンド５を形成することを提供する。
【０１０８】
本発明によれば、第２の作業位置Ｂに配置された第２の補助ドラム２０におけるトレッドバンド５のこの形成ステップは、第１の作業位置Ａに配置された第１の補助ドラム１９に第１のベルト構造体４を組み立てるステップと少なくとも部分的に同時に行われる。
【０１０９】
より詳しくは、本発明の方法は、第２の作業位置Ｂにおいて、第１の作業位置Ａで仕上げステーション１７の第２の補助ドラム２０に予め組み立てられた第２のベルト構造体４に対して半径方向外側位置に、トレッドバンド５を貼り付けることを提供する。
【０１１０】
トレッドバンド５の貼付ステップは、第２の作業位置Ｂにおいて、それぞれの所定の経路に沿って、第２の補助ドラム２０に組み立てられた第２のベルト構造体４に対して半径方向外側位置に、未加硫エラストマー材料の前記少なくとも２つの連続する細長要素２７、２８を置くことによって行われることが有利である。
【０１１１】
連続する細長要素２７、２８は、移動装置１８によって第２の作業位置Ｂに配置された第２の補助ドラム２０の両側に置かれることが好ましい。
【０１１２】
連続する細長要素２７、２８は、所望の性能をトレッドバンド５に付与するように、異なる機械的特性及び／又は物理化学的特性を有するそれぞれのエラストマー材料から成ることが好ましい。
【０１１３】
トレッドバンド５の貼付ステップは、移動装置１８によって第２の作業位置Ｂに配置された補助ドラム２０と動作可能に相互作用するために第２の作業位置Ｂに配置された供給部材２５、２６によって行われることが有利である。
【０１１４】
代替実施形態では、供給部材２５、２６の少なくとも一方は、トレッドバンド５の半径方向内側層のようなトレッドバンド５の部分を形成するように、連続ストリップ形状のエラストマー材料から製造された半完成品形状の上記連続する細長要素２７、２８の少なくとも一方を供給できる。このストリップは、トレッドバンド５の横断方向伸長部に実質的に等しい幅を有することが好ましく、補助ドラム２０の周方向伸長部に対応する長さのセクションに切断され、同時に、トレッドバンド５の少なくとも一部が、回転ユニット３２によって同時に回転される同ドラムに形成されることが好ましい。
【０１１５】
しかし、連続する細長要素２７、２８の供給は、供給部材２５、２６の押出機２９、３０で押出し成形することによって行われることが好ましい。
【０１１６】
好ましくは、各押出機２９、３０によって供給された連続する細長要素２７、２８は、下層表面に対して、連続コイルの重ね合わせ量、及び／又は、対応する押出機２９、３０から来る各細長要素２７、２８の横断方向に沿ったプロファイルの方向を変更することによって、連続する細長要素２７、２８によってベルト構造体４に対して半径方向外側位置に形成されたエラストマー層の厚さを調整するように、平坦部を有利に有することができる。
【０１１７】
連続する細長要素２７、２８は、軸方向に並んで配置され及び／又は半径方向に重ね合わせられた連続する周方向コイル状に、第２の作業位置Ｂで補助ドラム２０によって支持された第２のベルト構造体４に対して半径方向外側位置に置かれることが好ましい。
【０１１８】
この好ましい実施形態では、トレッドバンド５の貼付ステップは、第２の作業位置Ｂで第２の補助ドラム２０の近くに配置された供給部材２５、２６を使用して、連続する細長要素２７、２８を供給し、同時に、連続する細長要素２７、２８を前記ドラムに巻回することによって行われる。
【０１１９】
特に、このような巻回は、連続する細長要素２７、２８を貼り付けるのと同時に、以下のステップを行うことによって達成される。
−連続する細長要素２７、２８を、第２のベルト構造体４に対して半径方向外側位置に周方向に分配するように、第２のベルト構造体４を支持する第２の補助ドラム２０に、第２の補助ドラム２０の幾何学的軸線を中心とする回転運動を与えるステップ、
−第２の補助ドラム２０と供給部材２５、２６との間における制御された相対移動を行って、連続する細長要素２７、２８を用いて、トレッドバンド５の少なくとも一部を画定するように互いに並んだ関係で配置される複数のコイルを形成するステップ。
【０１２０】
この好ましい実施形態では、第２の補助ドラム２０と供給部材２５、２６との間における制御された相対移動は、前記供給部材に対して第２の補助ドラム２０を移動させることによって行われることが好ましい。
【０１２１】
補助ドラム２０の幾何学的軸線を中心とする補助ドラム２０の制御された回転運動と、供給部材２５、２６に対して、例えば前記軸線に対して実質的に平行な方向に沿って前記ドラムの制御された平行移動とが行われるのと同時に、連続する細長要素２７、２８が、押出機２９、３０によって供給されることが好ましい。
【０１２２】
補助ドラム２０のこの回転運動・平行移動は、移動装置１８によって、特に、このような装置の回転ユニット３２の及び移動ユニット３４の動作によって行われることが有利である。
【０１２３】
本発明の方法のこの好ましい実施形態において、２つの連続する細長要素２７、２８を供給することによって、製造の観点から非常に柔軟に、タイヤ２の所望の性能を実現できる構造上の特徴を有するトレッドバンド５を形成することが有利に可能である。
【０１２４】
このようにして、例えば、好ましい実施形態では、「キャップ・アンド・ベース」という用語で関連技術で知られている構造に従って、半径方向に重ね合わせられた一対の層、すなわち内側層及び外側層をそれぞれ含むトレッドバンド５を形成することが有利に可能である。
【０１２５】
この好ましい実施形態によれば、トレッドバンド５の貼付ステップは、第２の作業位置Ｂにおいて、トレッドバンド５の半径方向内側層を形成するように、補助ドラム２０によって支持された第２のベルト構造体４に対して半径方向外側位置に、第２のベルト構造体４の横断方向伸長部全体に実質的に沿って、上記連続する細長要素の一方、例えば、連続する細長要素２７を置くことによって行われる。
【０１２６】
その後に、トレッドバンド５の貼付ステップは、このように形成されたトレッドバンド５の半径方向内側層に対して半径方向外側位置に、第２の連続する細長要素２８を置くことを提供する。
【０１２７】
第２の連続する細長要素２８を置くことは、トレッドバンド５の半径方向外側層を形成するように、上記半径方向内側層の横断方向伸長部全体に実質的に沿って行われることが有利である。
【０１２８】
したがって、この好ましい実施形態では、軸方向に並んで配置され及び／又は半径方向に重ね合わせられた連続する周方向コイル状に、連続する細長要素２７、２８を置くことが、２つの連続ステップで行われる。
【０１２９】
また、別の好ましい代替実施形態では、例えば、タイヤ２の使用中にトレッドバンド５に作用する横断方向応力に対する抵抗性の向上や、トレッドバンド５がすり減るときにタイヤ２のグリップ性能を実質的に一定に維持することを可能にするなどの、有利な複数の技術的効果を達成することを可能にする構造に従って、特定の機械的特性を有する軸方向に整列された２つ以上のセクターを含むトレッドバンド５を形成することが有利に可能である。
【０１３０】
この好ましい代替実施形態によれば、トレッドバンド５の貼付ステップは、第２の作業位置Ｂにおいて、トレッドバンド５の対応する部分を形成するように、補助ドラム２０によって支持された第２のベルト構造体４の少なくとも一部に対して半径方向外側位置に、上記連続する細長要素の一方、例えば、連続する細長要素２７を置くことによって行われる。
【０１３１】
その後に、トレッドバンド５の貼付ステップは、トレッドバンド５の別の部分を形成するように、連続する細長要素２７によって形成された上記対応する部分に対して軸方向に整列された位置に、第２の連続する細長要素２８を置くことを提供する。
【０１３２】
このようにして、異なる機械的特性及び異なる物理化学的特性を有する軸方向に整列された少なくとも２つの部分又はセクターを有するトレッドバンド５を形成することが可能である。
【０１３３】
この好ましい代替実施形態では、連続する細長要素２７、２８を置くことは、連続ステップで行うか、または少なくとも部分的に同時に行うことができる。
【０１３４】
第１のベルト構造体４を第１の補助ドラム１９に組み立てる上記ステップと、第２の補助ドラム２０に予め組み立てられた第２のベルト構造体４に対して半径方向外側位置にトレッドバンド５を貼り付ける上記ステップとが完了すると、本発明の方法は、第１のベルト構造体４を支持する第１の補助ドラム１９を第２の作業位置Ｂに位置決めするステップと、第２のベルト構造体４に対して半径方向外側位置に貼り付けられたトレッドバンド５を含むほぼ円筒状のスリーブを支持する第２の補助ドラム２０を仕上げステーション１７の持ち上げ位置Ｃに位置決めするステップとを行うことを提供する。
【０１３５】
上記のように、本発明の好ましい実施形態では、このように製造されたほぼ円筒状のスリーブの持ち上げ位置Ｃが第１の作業Ａと実質的に一致する。
【０１３６】
本発明の方法によれば、補助ドラム１９と２０を第２の作業位置Ｂ及び第１の作業位置Ａにそれぞれ位置決めする上記ステップは、互いに少なくとも部分的に同時に行われる。
【０１３７】
特に、このようなステップは、移動装置１８によって行われることが好ましい。
【０１３８】
好ましい実施形態において、移動装置１８が、ほぼタレット状のタイプであり、好ましくは互いに角度的にオフセットされた位置で補助ドラム１９、２０を支持することによって、補助ドラム１９と２０の上記位置決めステップは、実質的に垂直な回転軸線Ｙ−Ｙを中心に移動装置１８を回転させることによって行われる。特に、このような回転運動は、駆動ユニット３５によって行われる。
【０１３９】
言い換えれば、この好ましい実施形態では、例えば、２つの回転方向、すなわち、図１のそれぞれの矢印Ｆ１とＦ２で示されている時計回り方向及び反時計回り方向の一方に沿って、移動装置１８を回転軸線Ｙ−Ｙを中心に単純に回転させることによって、補助ドラム１９と２０の位置が実質的に同時に効果的に入れ替えられる。
【０１４０】
好ましい実施形態において、補助ドラム１９、２０が、移動装置１８によって摺動可能に支持されることによって、本発明の方法は、このような装置を回転させるステップを行う前に、補助ドラム１９、２０を移動装置１８の回転軸線Ｙ−Ｙに向かって移動させるさらなるステップを含む。
【０１４１】
上記ステップは、補助ドラム１９、２０、及びそれらのドラムと好ましくは一体的に平行移動する関連回転ユニット３１、３２の両方を、ドラム移動ユニット３３と３４で移動させることによって行われることが好ましい。
【０１４２】
このようにして、作業位置Ａと作業位置Ｂとの間における補助ドラム１９、２０の移動中に、プラント１の安全性を向上させつつ、また移動装置１８を回転させるための駆動ユニット３５に必要な駆動力を減少させつつ、横断寸法及び慣性力の両方を減少させることが有利に可能である。
【０１４３】
補助ドラム１９、２０、及びそれに関連付けられた回転ユニット３１、３２は、移動装置１８の回転軸線Ｙ−Ｙに向かって移動され、該装置の回転可能な支持プラットフォーム３９の外周の内側に画定された上記待機位置に配置されることが好ましい。
【０１４４】
移動装置１８の補助ドラム１９、２０は、本例の場合、図１の一点破線で概略的に示されているように、移動装置１８の回転中に、制御ユニット３７及びオペレータ３８の両方から安全な距離に配置されることが有利である。
【０１４５】
第２の作業位置Ｂにおける第１の補助ドラム１９、及び持ち上げ位置Ｃ（この場合第１の作業位置Ａと一致する）における第２の補助ドラムの実質的に同時のこれらの位置決めステップが行われると、仕上げステーション１７は、以下のような動作状態になる。
ｉ）第２の補助ドラム２０から取り外しできる状態にある、第２のベルト構造体４とトレッドバンド５とを含むほぼ円筒状のスリーブが、持ち上げ位置Ｃ（この場合、同一の作業位置Ａと一致する）に配置される。
ｉｉ）第１の作業位置Ａで予め組み立てられた第１のベルト構造体４が、第１の補助ドラム１９によって支持され、第２の作業位置Ｂで新たなトレッドバンド５を収容できる状態にある。
【０１４６】
ここで、本発明の方法は、ほぼ円筒状のスリーブを、仕上げステーション１７の持ち上げ位置Ｃから、構築ステーション１４でその間に構築されたカーカス構造体３に対して半径方向外側位置に移送するステップを提供する。
【０１４７】
この移送ステップは、関連技術でそれ自体知られている方法に従って、ほぼリング形状の移送装置３６によって行われることが有利である。
【０１４８】
上記移送ステップの後に、仕上げステーション１７は、第２の補助ドラム２０が、第１の作業位置Ａに既に配置され、上記作業位置Ａに配置された貼付装置２１と相互作用して動作することによって、新たなベルト構造体４を支持できる状態にある、動作状態になる。
【０１４９】
したがって、上記動作が行われると、仕上げステーション１７は、２つの補助ドラム１９、２０の位置が互いに入れ替えられていることを除いて、上記開始状態と完全に同一の動作状態になる。
【０１５０】
ここで、本発明の方法は、第１の作業位置Ａにおいて、新たなベルト構造体４を第２の補助ドラム２０に組み立て、実質的に同時に、第２の作業位置Ｂにおいて、第１の補助ドラム１９に予め組み立てられたベルト構造体４に対して半径方向外側位置に、新たなトレッドバンド５を貼り付け、これらの組立ステップ及び貼付ステップ等の終了時に、２つのドラムの位置を入れ替えることによって、ベルト構造体４とトレッドバンド５とを含むほぼ円筒状のスリーブを製造するように構成される上記ステップを、周期的に繰り返すことを提供する。
【０１５１】
上記ステップの各々の周期的な繰り返しの終了時に、持ち上げ位置Ｃ（この場合位置Ａ）において、仕上げステーション１７の２つの補助ドラム１９、２０の一方によって交互に支持された、ベルト構造体４とトレッドバンド５とを含む新たなほぼ円筒状のスリーブが得られる。
【０１５２】
次に、このようなスリーブは、上記方法に従って、仕上げステーション１７の持ち上げ位置Ｃから、構築ステーション１４で構築された新たなカーカス構造体３に対して半径方向外側位置に移送される。
【０１５３】
トレッドバンド５とベルト構造体４とを含むほぼ円筒状のスリーブを製造するステップ、及びこのようなスリーブを仕上げステーション１７の持ち上げ位置Ｃから移送するステップは、構築ステーション１４でカーカス構造体３を構築するステップを行うための時間に実質的に等しいか又はそれよりも短い時間間隔で行われることが好ましい。
【０１５４】
このようにして、構築ステーション１４でカーカス構造体３を構築するために用いられるサイクル時間において、トレッドバンド５とベルト構造体４とを含むほぼ円筒状のスリーブを製造して移送することが有利に可能であり、これにより、工程時間が最適化されて、製造プラント１の生産性が向上する。
【０１５５】
本発明の特に好ましい実施形態では、トレッドバンド５及びベルト構造体４を含むほぼ円筒状のスリーブと、未だ円環状に成形されていないカーカス構造体３（さもなければ「カーカススリーブ」と呼ばれる）との組立は、カーカススリーブを構築するために使用されるのと同じ構築ステーション１４の一次ドラム１５で行われ、このようにして、単一段階の製造工程に統合する。
【０１５６】
このようにして、有利なことに、製造中のタイヤ２の高い品質レベルが、未だ実質的に可塑状態の未加硫半完成品の組立中における制限された数の動作によって保証される。このようにして、このような半完成品は、それに応じて制限された数の、変形させ得る応力（potentially deforming stresses）を受け、したがって、製造中のグリーンタイヤの望ましくない構造変化の危険性が有利に制限される。
【０１５７】
上記単一段階の製造工程の枠内で、ほぼ環状の構造を有する移送装置３６は、ベルト構造体４とトレッドバンド５とを含むほぼ円筒状のスリーブを補助ドラム１９又は２０から持ち上げるために、持ち上げ位置Ｃに配置された同ドラムの周りに配置されるように動作される。それ自体知られている方法において、補助ドラム１９、２０は、上記スリーブを解放し、次に、このスリーブは、カーカススリーブを支持する一次ドラム１５の同軸にセンタリングされた位置に配置されるように、移送装置３６によって軸方向に移動される。
【０１５８】
代わりに、いわゆる「２段階製造工程」に従ってタイヤを製造するために、カーカススリーブ及びトレッドバンド５／ベルト構造体４のスリーブが移送されるいわゆる成形ドラムにおいて、カーカススリーブとトレッドバンド５／ベルト構造体４のスリーブとの組立を行ってもよい。
【０１５９】
好ましい実施形態では、本方法は、カーカス構造体に対して半径方向外側位置に移送されたトレッドバンド５とベルト構造体４とを含むほぼ円筒状のスリーブに、ほぼ円筒状のカーカス構造体３を関連付けるように、上記移送ステップの後に、ほぼ円環状の形状に従って、ほぼ円筒状のカーカス構造体３を成形するステップをさらに含む。
【０１６０】
この成形ステップは、移送装置３６によって保持されたベルト構造体４の内面に１つ又は複数のカーカスプライ１０を接触させるように配置すべく、互いに近接する環状固定構造体７を軸方向に移動させ、それと同時に、カーカス構造体３と、トレッドバンド５及びベルト構造体４を含むほぼ円筒状のスリーブとから成る組立体に、圧力下にある流体を収容することによって行われることが好ましい。
【０１６１】
このようにして、グリーンタイヤが製造され、かかるグリーンタイヤは、上記製造プラント１を備えるタイヤ製造用プラント（図示せず）の加硫ステーション（図示せず）で行われる通常の加硫ステップを受けるために、一次ドラム１５又は成形ドラムから取り外すことができる。
【０１６２】
明確に、上記方法と上記装置とにより、例えば、第１の作業位置Ａ及び／又は第２の作業位置Ｂ及び／又は持ち上げ位置Ｃにおいて、別の層又は要素を貼り付けることによって、異なる構造を有するタイヤ２を製造することが可能になる。
【０１６３】
これらのすべてのことは、移動装置１８によって上記位置Ａ、Ｂ、Ｃに配置された補助ドラム１９、２０と動作可能に相互作用するように構成された適切な供給設備を上記位置Ａ、Ｂ、Ｃに配置することによって達成することができる。
【０１６４】
このようにして、例えば、代替実施形態では、本発明の方法は、持ち上げ位置Ｃでトレッドバンド５を作り始めるか又は完成させるように、持ち上げ位置Ｃ（例えば第１の作業位置Ａと一致する）において、それぞれの所定の経路に沿って、持ち上げ位置Ｃに配置された補助ドラム１９、２０によって支持されたベルト構造体４に対して半径方向外側位置に、未加硫エラストマー材料の最初又は最後の追加の連続する細長要素を貼り付けるさらなるステップを提供する。
【０１６５】
この場合、第２の作業位置Ｂに配置された供給部材２５、２６によって、及び、仕上げステーション１７の持ち上げ位置Ｃに配置された供給部材によって供給される３つの異なるエラストマー材料を使用して、トレッドバンド５を形成することが有利に可能である。
【０１６６】
この貼付ステップは、上記方法に従って、すなわち、持ち上げ位置Ｃ（例えば第１の作業位置Ａと一致する）においてそこに配置された補助ドラム１９、２０の近くに配置された別の供給部材の押出機（図示せず）を使用して、そのような連続する細長要素を供給することによって、そして、連続する細長要素を前記ドラムに巻回することによって行われることが好ましい。
【０１６７】
また、この場合、このような巻回は、連続する細長要素を貼り付けるのと同時に、以下のステップを行うことによって達成される。
−連続する細長要素を、ベルト構造体４に対して半径方向外側位置に周方向に分配するように、ベルト構造体４を支持する補助ドラム１９又は２０に、その幾何学的軸線を中心とする回転運動を与えるステップ、
−補助ドラム１９又は２０と供給部材との間における制御された相対移動を行って、連続する細長要素を用いて、トレッドバンド５の少なくとも一部を画定するように互いに並んだ関係で配置された複数のコイルを形成するステップ。
【０１６８】
有利なことに、この別の供給部材には、ベルト構造体４とトレッドバンド５とを含むほぼ円筒状のスリーブの引き続く持ち上げ動作を妨害しないように、持ち上げ位置Ｃ（例えば第１の作業位置Ａと一致する）に配置された補助ドラム１９、２０に対し、またそこから、かかる部材を移動させるように構成されたそれぞれのアクチュエータ群（図示せず）を設けることが可能である。
【０１６９】
本出願人が行った繰り返し試験により、本発明による製造方法及び装置が、それらの可能な代替実施形態において、カーカス構造体の構築ステーション１４と、少なくとも１つの連続する細長要素のコイルを巻回することによって形成されたトレッドバンド５、少なくとも１つのベルト層が設けられたベルト構造体４を含むほぼ円筒状のスリーブを製造するように意図された仕上げステーション１７との、異なる生産速度を適合させつつ、高品質のタイヤを製造する目的を完全に達成することが確認されている。
【０１７０】
さらに、本発明による方法が、構造的に簡単でありかつ管理の容易な製造プラント１で行うことができる一連の動作ステップによって、上記目的を達成することに留意されたい。
【０１７１】
有利なことに、カーカス構造体を構築するための存在するステーションの下流に（downstream of）、本発明の製造プラント１を配置でき、それにより、本発明の製造プラントを組み込んでいるタイヤ製造プラントの生産性が向上する。
【０１７２】
さらに、有利なことに、カーカススリーブを構築するために使用される同一のドラムにおいて、カーカススリーブと外側ベルト構造体／トレッドバンドのスリーブとの組立を行うことができ、これにより、単一段階製造工程に統合でき、このようにして、製造プラントの生産性、及び製造プラントで製造されたタイヤの品質特性を最大限に向上できる。
【０１７３】
最後に、特定用途の要求に応じて、仕上げステーション１７に画定された補助ドラムの及び作業位置の数を２つよりも多くすることができることに留意されたい。
【０１７４】
この場合、補助ドラムは、約３６０°／ｎ（この場合、ｎが補助ドラムの総数である）に実質的に等しい角度で互いに角度的にオフセットされた位置で、移動装置１８によって支持されることが好ましい。
【０１７５】
この場合、プラント１は、ベルト層の適切な数の貼付装置２１、及び／又は移動装置１８によって作業位置に配置された補助ドラムと動作可能に相互作用するために、仕上げステーション１７に画定された作業位置に配置された、それぞれ連続する細長要素の適切な数の供給部材を備える。
【図１】
0005431442.tif 000002
【図２】
0005431442.tif 000003